(57)【要約】      （修正有）【課題】行き先等の表示や職場等によくある注意喚起表示、盆栽、植木、立ち木等植物等の表示のおこなう表示装置において、照明消灯時の照度の暗くなった際の視認性を高めることが可能な表示装置を提供する。【解決手段】フック１で掛ける蛍光色等の針金による注意喚起表示。【選択図】図１
2014203072.tif 000002
【特許請求の範囲】
【請求項１】
フック等で掛ける針金による注意喚起表示で、色で識別可能で、特に針金の蛍光色等照度の暗い場所でも視認性がある表示。
【請求項２】
さらに、図柄等を添えて又は単独で、文字のみ又は文字と併記し表示する請求項１表示。
【請求項３】
さらに、適宜フック部等をゴム管等で滑り止めした請求項１の表示
【請求項４】
さらに、表示は横長だけでなく、縦長等他形状をも含む請求項１の表示
【請求項５】
さらに、パソコン画面や書棚等にフックで掛ける針金によるもので、行き先等表示や職場等によくある注意喚起等を表示する請求項１の表示
【請求項６】
さらに、盆栽・植木等の名前や植えた日付、育成年月等を表示する請求項１の表示。
【請求項７】
さらに、車両の乗員等のトイレ等の一時的な行き先や仮眠中などの乗員の状態等を表示する請求項１の表示
【請求項８】
さらに、大規模自然災害等の被災箇所の注意喚起等表示する請求項１の表示
【請求項９】
さらに、添える図柄等は、平面のみならず可能なら立体でも表現し得る請求項１の表示
【請求項１０】
さらに、フックは、掛け方は単に上下に鍵型に掛けるのみならず、引っ掛ける物体と表示の縦横の寸法に応じ、適宜斜め襷掛け状等、またフックの形状は鍵型だけでなく、波型等、また盆栽・植木等に１点吊り等、針金で加工可能なフックで引っ掛ける請求項１の表示。
【請求項１１】
さらに、車両の運転席のダッシュボード等単に置くだけで表示としての機能を発揮する場合は、フック等不用の請求項１の表示
【請求項１２】
さらに、図では、文字が意味するのを明らかにする為、大きめに表現したが、大小の寸法をも含む請求項１の表示。
【発明の詳細な説明】
【技術分野】
【０００１】本発明は、フック等で掛ける蛍光色等の針金による、日本語や英語、絵柄等による行き先や注意喚起表示で、先に出願したパソコン画面等にフックで掛ける行き先等の表示や職場等によくある注意喚起表示、盆栽、植木、立ち木等植物等の表示の追加に関するものである。
【技術背景】
【０００２】  先に、私は文字、絵柄等によるパソコン画面にフックで掛ける針金による行き先等表示や職場等によくある注意喚起表示、針金による、盆栽、植木、立ち木等植物等への表示を出願した。
【０００３】  これは、技術背景として、パソコンの操作する机にて、離籍する際、パソコンの画面が点いているかどうかが、本人が在室しているかどうかの判断の為の対象となることがあるからで、出退勤表示や会議等スケジュール管理のソフトウェアも市販されているが、当然、これらはパソコンの電源が入っているときのみパソコンで閲覧・書き込み・修正等使用可能であるが、電源が入っていなければ使用できない。パソコン画面に針金でフックにて引っ掛けて着脱容易にし、貼る剥がす手間をなくし、所在を表示する表示があれば、職場でも在宅でも有効ではないかと考えた。
さらに、パソコン画面で表示すべきは、そのパソコン使用者の在不在だけでなく、「システムダウン」「サーバーメインテナンス中」「ＬＡＮメインテナンス中」「ウイルスチェック中」のパソコン使用環境等のみならず、「禁煙」「飲食禁止」「携帯禁止」等職場関連、「節電」「節水」など原発停止による夏場の節電キャンペーンについてパソコン等職場の良く見える掲示場所としての注意喚起表示もあり得ると考えられ、また「禁煙」「飲食禁止」等職場規律関連、「頑張れ福島」等東日本震災復興関連と言った職場等でよくある定番化した注意喚起も、絵柄、絵文字又は両記併用で有用ではないかと考えた。
【０００４】  さらに、針金によるフックでの行き先等表示や職場等によくある注意喚起表示は、盆栽・植木の土への差込又は植木鉢へのフックやくくりつけ、また盆栽・植木等の鉢やプランター等箱の形状を持つ植物収納容器類だけで無く、立ち木で表示を要する木、植物等の日英両方の言語の植物名や種を植えた日付、育成年限等の表示にも応用可能ではと気が付いた。針金には、耐久性・耐水性・加工の容易さ、色別の峻別性、軽さ、二酸化炭素を排出せず廃棄物としてくず鉄として再利用も可能な環境負荷の軽さの利点が生かせるのではと考えた。
【０００５】  そこで、パソコン画面ではなく盆栽・植木の土・本体・鉢等、又は立ち木等の本体に針金でフックにて引っ掛ける・土に差すだけでなく、針金でくくりつける、巻きつける、ぶら下げる等着脱容易にし、付ける外す手間を容易にし、その植物は名前や種を植えた日付は不変だが、成長の生育状況は生物として変化し続けるため、針金による表示をすれば、針金による表示を修正しさえすれば容易に変更が可能な変更容易性や着脱容易性、針金が風雨に耐える表示の耐久性・耐水性で、修正を要する表示部分と修正を要しない表示部分との併記も可能であり、重量が軽く鉢を移動する際に負担にならない軽量性、土である茶色や植物の緑以外の色も選択でき見る人の嗜好に応じ表示を同一色や類似色だけでなく対照色にも選択でき、その針金の太さに応じ目立つ表示にも植物に溶け込み景観を損ないにくい表示にも工夫可能な選択可能性等の利点があると考えた。そしてその表示は、日本語の漢字、複雑で表現が難しい場合は平仮名や片仮名での代筆で通用するもの、乃至英語標記で、針金による絵文字の併記や植えた日付や育成年月のアラビア数字等も併記可能である。
【０００６】  これに、現代日本の職場や家庭環境を鑑みるに、日本語や英語を解さない非英語圏からの外国人が珍しくなくなった事情を踏まえ、簡単な図柄を添えれば尚理解されやすいだろうと考えた。よって、植物等の表示にも、日英両言語と絵柄、漢字でなくアラビア数字があれば、読み手を選ばず理解が深まる可能性を高めると考えた。
【０００７】  さらに、表示すべきは、その植物の名前や種を受けた日付、育成年月日だけでなく、例えば「水をやるな」「日光に当てるな」「動かすな」「温室内のみ」「１５度以下厳禁」等の植物の育成環境等の注意喚起表示もあり得ると考えられ、有用ではないかと考えた。
【０００８】  これら、すべての表示は針金の色を蛍光色とすれば、照明消灯時の照度の暗くなった際の表示としての機能も期待できることに気がついた。そして、  照明消灯時の照度の暗くなった際の表示なら、表示としてパソコン画面等の職場等での行き先等表示、職場等の注意喚起表示、そして盆栽、植木、立ち木等植物等への表示でも、蛍光色でもいずれも有用性があるが、とくに職場等の注意喚起表示で言えば、職場では最終退出者が消灯後鍵をしまう「キーボックス「自動扉解除」「非常持ち出し」「段差注意」書棚等の書籍やファイルが余震で落下する注意表示「危険」等表示や「貸し出し中」「持ち出し中」等の表示が、家庭では停電時に真っ先に探すが暗くて探すのが難しい「懐中電灯」「照明のスイッチ」「非常用品」等の表示が、また運転中暗い車内では車内には「シートベルトを締めろ」「禁煙」「携帯禁止」「こぼすな」「汚すな」等の、車外には「仮眠中」「就寝中」「トイレ」「食事中」等特にトラック・タクシー運行業に従事する人に有用と考えられる表示が、更には東日本大震災の被害箇所で壁・階段・及び民家、海岸の堤防のテトラポット等の、風雨・潮風に常にさらされ表示に耐久性が求められる箇所での「危険」等の表示が昼夜を問わず認識される必要があることから、有用ではないかと考えられる。特に、車内外の表示は、針金による表示が軽く工作容易で車のダッシュボードやシート、車内の手すりやハンドルなど針金の弾力性故にフック状に又は単に置くだけでも表示としての機能を持たせるだけでなく、耐久性がある利点から、真夏の炎天下の車内外の温度や真冬の車内外の温度にも耐久性を示すと考えられる。書棚の「危険」表示は、書棚が複数ある書棚は特に余震で落下する危険が特に高い場所のひとつであるが、針金の表示故に、表示越しに書籍やファイルの表題のタイトルを読むのを妨げないので、有用ではないかと考えられる。また、東日本大震災の被害・被災箇所での表示も、万が一人間が誤って蹴ったり触ったりしても、怪我や転倒の危険が少ない表示と考えられる。
【発明が解決しようとする課題】
【００１０】  先に、私は文字、絵柄等によるパソコン画面にフックで掛ける針金による行き先等表示や職場等によくある注意喚起表示、針金による、盆栽、植木、立ち木等植物等への表示を出願した。
【００１１】  これは、技術背景として、パソコンの操作する机にて、離籍する際、パソコンの画面が点いているかどうかが、本人が在室しているかどうかの判断の為の対象となることがあるからで、出退勤表示や会議等スケジュール管理のソフトウェアも市販されているが、当然、これらはパソコンの電源が入っているときのみパソコンで閲覧・書き込み・修正等使用可能であるが、電源が入っていなければ使用できない。パソコン画面に針金でフックにて引っ掛けて着脱容易にし、貼る剥がす手間をなくし、所在を表示する表示があれば、職場でも在宅でも有効ではないかと考えた。
さらに、パソコン画面で表示すべきは、そのパソコン使用者の在不在だけでなく、「システムダウン」「サーバーメインテナンス中」「ＬＡＮメインテナンス中」「ウイルスチェック中」のパソコン使用環境等のみならず、「禁煙」「飲食禁止」「携帯禁止」等職場関連、「節電」「節水」など原発停止による夏場の節電キャンペーンについてパソコン等職場の良く見える掲示場所としての注意喚起表示もあり得ると考えられ、また「禁煙」「飲食禁止」等職場規律関連、「頑張れ福島」等東日本震災復興関連と言った職場等でよくある定番化した注意喚起も、絵柄、絵文字又は両記併用で有用ではないかと考えた。
【００１２】  さらに、針金によるフックでの行き先等表示や職場等によくある注意喚起表示は、盆栽・植木の土への差込又は植木鉢へのフックやくくりつけ、また盆栽・植木等の鉢やプランター等箱の形状を持つ植物収納容器類だけで無く、立ち木で表示を要する木、植物等の日英両方の言語の植物名や種を植えた日付、育成年限等の表示にも応用可能ではと気が付いた。針金には、耐久性・耐水性・加工の容易さ、色別の峻別性、軽さ、二酸化炭素を排出せず廃棄物としてくず鉄として再利用も可能な環境負荷の軽さの利点が生かせるのではと考えた。
【００１３】  そこで、パソコン画面ではなく盆栽・植木の土・本体・鉢等、又は立ち木等の本体に針金でフックにて引っ掛ける・土に差すだけでなく、針金でくくりつける、巻きつける、ぶら下げる等着脱容易にし、付ける外す手間を容易にし、その植物は名前や種を植えた日付は不変だが、成長の生育状況は生物として変化し続けるため、針金による表示をすれば、針金による表示を修正しさえすれば容易に変更が可能な変更容易性や着脱容易性、針金が風雨に耐える表示の耐久性・耐水性で、修正を要する表示部分と修正を要しない表示部分との併記も可能であり、重量が軽く鉢を移動する際に負担にならない軽量性、土である茶色や植物の緑以外の色も選択でき見る人の嗜好に応じ表示を同一色や類似色だけでなく対照色にも選択でき、その針金の太さに応じ目立つ表示にも植物に溶け込み景観を損ないにくい表示にも工夫可能な選択可能性等の利点があると考えた。そしてその表示は、日本語の漢字、複雑で表現が難しい場合は平仮名や片仮名での代筆で通用するもの、乃至英語標記で、針金による絵文字の併記や植えた日付や育成年月のアラビア数字等も併記可能である。
【００１４】  これに、現代日本の職場や家庭環境を鑑みるに、日本語や英語を解さない非英語圏からの外国人が珍しくなくなった事情を踏まえ、簡単な図柄を添えれば尚理解されやすいだろうと考えた。よって、植物等の表示にも、日英両言語と絵柄、漢字でなくアラビア数字があれば、読み手を選ばず理解が深まる可能性を高めると考えた。
【００１５】  さらに、表示すべきは、その植物の名前や種を受けた日付、育成年月日だけでなく、例えば「水をやるな」「日光に当てるな」「動かすな」「温室内のみ」「１５度以下厳禁」等の植物の育成環境等の注意喚起表示もあり得ると考えられ、有用ではないかと考えた。
【００１６】  これらの表示は、針金の色別に峻別を図ることは可能だが、夜間・夕方など照度の高くなくない時間や場所では表示としての識別性に課題を残していた。
【課題を解決するための手段】
これら、すべての表示は針金の色を蛍光色とすれば、照明消灯時の照度の暗くなった際の表示としての機能も期待できることに気がついた。そして、  照明消灯時の照度の暗くなった際の表示なら、表示としてパソコン画面等の職場等での行き先等表示、職場等の注意喚起表示、そして盆栽、植木、立ち木等植物等への表示でも、蛍光色でもいずれも有用性があるが、とくに職場等の注意喚起表示で言えば、職場では最終退出者が消灯後鍵をしまう「キーボックス」「自動扉解除」「非常持ち出し」「段差注意」、書棚等の書籍やファイルが余震で落下する注意表示「危険」等表示や「貸し出し中」「持ち出し中」等の表示が、家庭では停電時に真っ先に探すが暗くて探すのが難しい「懐中電灯」「照明のスイッチ」「非常用品」等の表示が、また運転中暗い車内では車内には「シートベルトを締めろ」「禁煙」「携帯禁止」「こぼすな」「汚すな」等の、車外には「仮眠中」「就寝中」「トイレ」「食事中」等特にトラック・タクシー運行業に従事する人に有用と考えられる表示が、更には東日本大震災の被害箇所で壁・階段・及び民家、海岸の堤防のテトラポット等の、風雨・潮風に常にさらされ表示に耐久性が求められる箇所での「危険」等の表示が昼夜を問わず認識される必要があることから、有用ではないかと考えられる。特に、車内外の表示は、針金による表示が軽く工作容易で車のダッシュボードやシート、車内の手すりやハンドルなど針金の弾力性故にフック状に又は単に置くだけでも表示としての機能を持たせるだけでなく、耐久性がある利点から、真夏の炎天下の車内外の温度や真冬の車内外の温度にも耐久性を示すと考えられる。書棚の「危険」表示は、書棚が複数ある書棚は特に余震で落下する危険が特に高い場所のひとつであるが、針金の表示故に、表示越しに書籍やファイルの表題のタイトルを読むのを妨げないので、有用ではないかと考えられる。また、東日本大震災の被害・被災箇所での表示も、万が一人間が誤って蹴ったり触ったりしても、怪我や転倒の危険が少ない表示と考えられる。
【発明の効果】
【００１７】  これら、すべての表示は針金の色を蛍光色とし、照明消灯時の照度の暗くなった際の視認性を高め、表示としての機能も可能となった。
【図面の簡単な説明】
【図１】本発明の正面図である。
【図２】本発明の正面図である。
【図３】本発明の正面図である。
【図４】本発明の正面図である。
【図５】本発明の正面図である。
【図６】本発明の正面図である。
【図７】本発明の正面図である。
【図８】本発明の正面図である。
【図９】本発明の正面図である。
【図１０】本発明の正面図である。
【図１１】本発明の正面図である。
【図１２】本発明の正面図である。
【図１３】本発明の正面図である。
【図１４】本発明の正面図である。
【図１５】本発明の正面図である。
【図１６】本発明の正面図である。
【図１７】本発明の正面図である。
【図１８】本発明の正面図である。
【図１９】本発明の正面図である。
【図２０】本発明の正面図である。
【図２１】本発明の正面図である。
【図２２】本発明の正面図である。
【図２３】本発明の正面図である。
【図２４】本発明の正面図である。
【図２５】本発明の正面図である。
【図２６】本発明の正面図である。
【図２７】本発明の正面図である。
【図２８】本発明の正面図である。
【図２９】本発明の正面図である。
【発明を実施するための形態】
本発明を実施するための形態を説明する。
【符号の簡単な説明】
１  表示フック部
２  表示の表示部
３  ゴム管
４  図柄
５  絵文字
６  懐中電灯
７  非常時持出袋
８  キーボックス
９  自動ドア制御盤
１０  書棚
１１  壁
１２  亀裂
１３  階段
１４  家
１５  ブロック塀
１６  灯台
１７  テトラポット
１８  桜の木
１９  ライト
２０  運転席
２１  運転座席
２２  ドアー
【図１】
2014203072.tif 000003
【図２】
2014203072.tif 000004
【図３】
2014203072.tif 000005
【図４】
2014203072.tif 000006
【図５】
2014203072.tif 000007
【図６】
2014203072.tif 000008
【図７】
2014203072.tif 000009
【図８】
2014203072.tif 000010
【図９】
2014203072.tif 000011
【図１０】
2014203072.tif 000012
【図１１】
2014203072.tif 000013
【図１２】
2014203072.tif 000014
【図１３】
2014203072.tif 000015
【図１４】
2014203072.tif 000016
【図１５】
2014203072.tif 000017
【図１６】
2014203072.tif 000018
【図１７】
2014203072.tif 000019
【図１８】
2014203072.tif 000020
【図１９】
2014203072.tif 000021
【図２０】
2014203072.tif 000022
【図２１】
2014203072.tif 000023
【図２２】
2014203072.tif 000024
【図２３】
2014203072.tif 000025
【図２４】
2014203072.tif 000026
【図２５】
2014203072.tif 000027
【図２６】
2014203072.tif 000028
【図２７】
2014203072.tif 000029
【図２８】
2014203072.tif 000030
【図２９】
2014203072.tif 000031